(57)【要約】【課題】果実・野菜にしっかりと固定でき、内部の果実・野菜の成長を容易に観察することができると共に、早く熟したり腐敗した果物・野菜を簡単に取り出すことができる果物・野菜被覆用網袋を提供すること。【解決手段】軟質の網袋本体１と、２本の紐２，３とを備え、網袋本体１の一端に形成した袋口に沿って筒状部１１を設けると共に、筒状部１１の両側部にそれぞれ紐出口１２，１３を形成し、筒状部１１は両側の紐出口１２，１３によって前部と後部とに分割され、２本の紐２，３は筒状部１１の前部及び後部にそれぞれ挿通され、２本の紐２，３の両端部が両側の紐出口１２，１３を通して網袋本体１の外側に引き出されている。【選択図】図２
0003158162.tif 000002
【実用新案登録請求の範囲】
【請求項１】
軟質の網袋本体と、２本の紐とを備え、前記網袋本体の一端に形成した袋口に沿って筒状部を設けると共に、該筒状部の両側部にそれぞれ紐出口を形成し、前記筒状部は両側の紐出口によって前部と後部とに分割され、前記２本の紐は前記筒状部の前部及び後部にそれぞれ挿通され、前記２本の紐の両端部が前記両側の紐出口を通して前記網袋本体の外側に引き出されていることを特徴とする、果物・野菜被覆用網袋。
【請求項２】
前記網袋本体の他端の底部に開閉自在な開口部を設けたことを特徴とする、請求項１に記載の果物・野菜被覆用網袋。
【請求項３】
前記底部に設けた開口部に沿ってスライドファスナーが装着されていることを特徴とする、請求項２に記載の果物・野菜被覆用網袋。
【請求項４】
前記底部に設けた開口部に沿って面ファスナーが装着されていることを特徴とする、請求項２に記載の果物・野菜被覆用網袋。
【請求項５】
前記網袋本体の前記一端と交差する側辺に、開閉自在な開口部を設けたことを特徴とする、請求項１に記載の果物・野菜被覆用網袋。
【請求項６】
前記側辺に設けた開口部に沿って面ファスナーを装着してあることを特徴とする、請求項５に記載の果物・野菜被覆用網袋。
【請求項７】
前記網袋本体の他端に開閉自在な開口部を形成し、該開口部にこれを縛るための紐を設けたことを特徴とする、請求項５に記載の果物・野菜被覆用網袋。
【請求項８】
前記網袋本体は、四角形の網片を幅方向中央部から折り返して重ね合わせてなることを特徴とする、請求項７に記載の果物・野菜被覆用網袋。
【請求項９】
前記網片の一端及び他端に沿って紐通し用の筒状部を設け、該筒状部の両端及び中間箇所に紐出口を設け、該中間位置に形成した紐出口により前記筒状部を前部と後部とに分割し、該筒状部の前部及び後部にそれぞれ紐を挿通し、該紐の両端部をそれぞれ前記紐出口から突出させ、前記網片の一端及び他端と交差する両側辺に沿って、互いに着脱自在に係合する面ファスナーを装着し、前記網片を半幅に折り返して網袋本体を形成したとき、前記紐の両端部がそれぞれ前記網袋本体の両側に突出していることを特徴とする、請求項８に記載の果物・野菜被覆用網袋。
【考案の詳細な説明】
【技術分野】
【０００１】
本考案は、軟質で開閉自在の袋口を設けた果物・野菜被覆用網袋に関する。
【背景技術】
【０００２】
果物・野菜被覆用袋は一般に紙袋を採用し、その開口端に鉄線を設置して開口を縛り、封鎖端の袋底部の左右両側に孔部を設けて袋内の果物・野菜の生長を確認できるようになっている。
しかしながら、紙製の果物・野菜被覆用袋は、大雨や強風に晒されると、紙袋が相互に貼り付いたり、破れたりしやすく、また開口端の鉄線が蒂のあたりに巻き付けられているだけなので揺動して落下しやすい。
【０００３】
高山梨等に使用する硬質の紙袋は、風雨には比較的強いものの、強風や大雨の後の作業が面倒で、紙袋を注意して果実から引き離す必要があり、時間と手間がかかる。また、目で直接袋の中の状況を見ることができないため、収穫期間は袋底部の左右両側の孔部を注意して開き、収穫できるか否かを確認しなければならず、果実が熟しすぎて収穫のタイミングを逃してしまいやすいだけでなく、これら作業には通常かなりの時間がかかってしまう。
さらに、網袋を果物・野菜に被せることもあるが、このような網袋の袋口端は１本の紐で果物・野菜の蒂のあたりに縛りつけられるため、外れやすく、安定性に欠ける。
【考案の概要】
【考案が解決しようとする課題】
【０００４】
本考案が解決しようとする課題は、果実・野菜にしっかりと固定でき、内部の果実・野菜の生長を容易に観察することができると共に、早く熟したり腐敗した果物・野菜を簡単に取り出すことができる果物・野菜被覆用網袋を提供することにある。
【課題を解決するための手段】
【０００５】
本考案の果物・野菜被覆用網袋は、軟質の網袋本体と、２本の紐とを備え、前記網袋本体の一端に形成した袋口に沿って筒状部を設けると共に、該筒状部の両側部にそれぞれ紐出口を形成し、前記筒状部は両側の紐出口によって前部と後部とに分割され、前記２本の紐は前記筒状部の前部及び後部にそれぞれ挿通され、前記２本の紐の両端部が前記両側の紐出口を通して前記網袋本体の外側に引き出されている。
【０００６】
前記網袋本体の他端の底部に開閉自在の開口部を設けると良い。
この時、前記底部に設けた開口部に沿ってスライドファスナー或いは面ファスナーを装着することがある。
前記網袋本体の前記一端と交差する側辺に、開閉自在の開口部を設けても良い。
この時、前記側辺に設けた開口部に沿って面ファスナーを装着することがある。
さらに、この時、前記網袋本体の他端に開閉自在の開口部を形成し、該開口部にこれを縛るための紐を設けることもある。
【０００７】
前記網袋本体は、四角形の網片を幅方向中央部から折り返して重ね合わせて構成しても良い。
この場合、前記網片の一端及び他端に沿って紐通し用の筒状部を設け、該筒状部の両端及び中間箇所に紐出口を設け、該中間位置に形成した紐出口により前記筒状部を前部と後部とに分割し、該筒状部の前部及び後部にそれぞれ紐を挿通し、該紐の両端部をそれぞれ前記紐出口から突出させ、前記網片の一端及び他端と交差する両側辺に沿って、互いに着脱自在に係合する面ファスナーを装着し、前記網片を半幅に折り返して網袋本体を形成したとき、前記紐の両端部がそれぞれ前記網袋本体の両側に突出してもよい。
【考案の効果】
【０００８】
本考案によれば、軟質の網袋本体の袋口に沿って２本の紐を挿通してあるので、紐を引き絞ったり緩めることにより袋口を簡単に開閉すると共に、２本の紐で袋口を縛ることができ、このため、果物・野菜に迅速かつ容易に袋を被せる作業ができる。
また、２本の紐を利用して枝や幹、棚等に縛って固定することができるため、果物・野菜から落下しないよう安定性を確保することができる。
さらに、軟質の網袋本体を採用しているため、繰り返し使用することができ、環境にやさしく、衛生的である。
【０００９】
また、網袋本体の網目を通して果物・野菜が太陽光を浴びることができるばかりか、隨時袋内の果実の成長状態を観察でき、この結果、早く熟したり、腐敗したものを容易に発見して、袋から取り出すことが可能となり、果物・野菜が徐々に生長する変化を目で見て楽しむこともできる。
請求項２〜請求項９に係る考案によれば、成長過程で早く熟したものや腐敗したものを、網袋本体の底部または側辺に形成した開閉自在の開口部から容易に取り出すことができるため、高品質の果物・野菜を生産することができる。
【図面の簡単な説明】
【００１０】
【図１】実施例１を示す果物・野菜被覆用網袋の平面図である。
【図２】実施例１を示す果物・野菜被覆用網袋の斜視図である。
【図３】実施例１の果物・野菜被覆用網袋の使用状態における斜視図である。
【図４】実施例２を示す果物・野菜被覆用網袋の斜視図である。
【図５】実施例３を示す果物・野菜被覆用網袋の斜視図である。
【図６】実施例４を示す果物・野菜被覆用網袋の斜視図である。
【図７】実施例４を示す果物・野菜被覆用網袋の展開図である。
【図８】実施例４の果物・野菜被覆用網袋の装着当初における斜視図である。
【図９】実施例４の果物・野菜被覆用網袋の果物取り出し時における斜視図である。
【考案を実施するための形態】
【００１１】
図１〜図３は、本考案の実施例１を示す。
本実施例の果物・野菜被覆用網袋は、図１及び図２に示すように、軟質の網袋本体１及び２本の紐２、３を備える。
網袋本体１は、使用していないときは扁平な四角形をなし、その一端が開口した袋口となり、他端が閉じた底部となっている。
また、網袋本体１の袋口に沿って紐を通すための細い筒状部１１が設けられ、筒状部１１の両側部に紐出口１２、１３がそれぞれ形成される。そして、筒状部１１は、両側部に形成された紐出口１２、１３によって前部と後部とに分割されている。
２本の紐２、３は、筒状部１１の前部及び後部にそれぞれ挿通され、２本の紐２、３の両端部は、両側部の紐出口１２、１３を通して網袋本体１の外側に引き出してある。
従って、網袋本体１の袋口は、これら２本の紐２、３を引き絞ったり緩めることにより、開閉することができる。
【００１２】
この果物・野菜被覆用網袋を用いるには、図３に示すように、網袋本体１を果物・野菜に袋口から被せた後、外に引き出された２本の紐２、３の一端部を引いて袋口を徐々に縮小し、その後、紐２、３の他端部を引いて袋口が閉じるまで縮小する。
次いで、２本の紐２、３を交差させて縛り、さらに、縛った後の２本の紐２、３を利用して枝、幹、棚等に縛って固定し、網袋本体１が果物・野菜から落下しないよう安定性を確保することができる。
また、果実が網袋本体１内で成長する際、いずれか１つが早熟であったり、腐敗してしまったりすることがあるが、網袋本体１は透視性を備えているため、それらを容易に発見できる。
【００１３】
図４は本考案の実施例２を示す。
網袋本体１の底部に開口部を設けると共に、開口部に沿ってスライドファスナー１４を装着し、底部の開口部を開閉自在としてある。
これにより、早く熟したり腐ってしまった果実・野菜を発見した際には、スライドファスナー１４を開いて開口部から容易に取り出すことができ、この結果、栽培者はより楽に高品質の果物・野菜を生産することができる。
その他の構成及び使用方法は、実施例１と同様なので、同一部分に共通する符号を付して詳細な説明を省略する。
【００１４】
図５は本考案の実施例３を示す。
本実施例では、網袋本体１の底部に形成した開口部に沿って面ファスナー１４’を装着してある。
その他の構成は実施例２と変わるところはない。
【００１５】
図６〜図９は、本考案の実施例４を示す。
図６及び図７に示すように、網袋本体４は、四角形の網片を幅方向中央部から折り返して重ね合わせてなる。
網片の一端及び他端（折り返し線と交差する端部）に沿ってそれぞれ紐通し用の筒状部４２０、４３０を形成すると共に、筒状部４２０、４３０の中間箇所、即ち、網片の折り返し位置に紐出口４２１、４３１を設ける。筒状部４２０、４３０は、中間箇所に形成した紐出口４２１、４３１により、前部と後部とに分割されている。
なお、筒状部４２０、４３０の両端も閉鎖されずに紐出口となっている。
【００１６】
また、２本の紐５を筒状部４２０の前部及び後部にそれぞれ挿通し、２本の紐６を筒状部４３０の前部及び後部にそれぞれ挿通してある。紐５，６の両端部は、中間箇所の紐出口４２１、４３１及び両端の紐出口を通して、筒状部４２０、４３０から突出している。
さらに、網片の一端及び他端と交差する両側辺に沿って、互いに着脱自在に係合する面ファスナー４１を装着し、この側辺を開閉自在の開口部としてある。
従って、網片を半幅に折り返し、両側辺に装着した面ファスナー４１を係合して網袋本体４を形成したとき、網袋本体４の一端に設けた袋口４２及び他端に設けた開口部４３に沿って紐５、６が挿通され、紐５、６の両端部は網袋本体４の両側に突出する。
【００１７】
本実施例の果物・野菜被覆用網袋を用いると、パパイヤなどのように、枝を囲んで複数の実が成長する果実でも、包み込んで保護することができる。
図８に示すように、まず、展開した網片でパパイヤの集合体を巻き、網片の一端でパパイヤの上端部を囲んだ後、２本の紐５を引き絞って袋口４２を閉じて縛り、紐５を幹に縛り付けて固定する。
その後、面ファスナー４１を係合して側辺に設けた開口部を閉じ、パパイヤの集合体を網袋本体４で包み込む。
最後に他端の紐６で開口部４３を縛って固定する。
【００１８】
この果物・野菜被覆用網袋を用いれば、パパイヤの集合体を虫の害から保護し、パパイヤの状態を観察できるだけでなく、パパイヤは原則的に下から熟すため、下方のパパイヤが成熟したとき、図９に示すように、他端の紐６を解いて開口部４３を開き、同時に面ファスナー４１をはがして側辺に設けた開口部を開き、簡単に熟したパパイヤを取り出すことができる。
【符号の説明】
【００１９】
１  網袋本体
１１  筒状部
１２、１３  紐出口
１４  スライドファスナー
１４’  面ファスナー
２、３  紐
４  網袋本体
４１  面ファスナー
４２  袋口
４２０，４３０  筒状部
４２１，４３１  紐出口
４３  開口部
５、６  紐
【図１】
0003158162.tif 000003
【図２】
0003158162.tif 000004
【図３】
0003158162.tif 000005
【図４】
0003158162.tif 000006
【図５】
0003158162.tif 000007
【図６】
0003158162.tif 000008
【図７】
0003158162.tif 000009
【図８】
0003158162.tif 000010
【図９】
0003158162.tif 000011